(57)【要約】      （修正有）【課題】サイズが小さく、ユーザの体表面上に容易に固定することができ、使用中におけるユーザの快適さを向上させることができる、感知アセンブリを提供する。【解決手段】感知装置１００と、結合要素４００と、を備える感知アセンブリ１０が提供される。感知装置は、電池モジュール１１０と、回路板モジュール１２０と、体調センサ１４０と、を備える。回路板モジュールは、電池モジュールの上面、上面の反対側の底面、及び上面と底面を接続する側面を覆う。体調センサは、回路板モジュールの外側面に配置され、ユーザの感知領域と接触して、感知領域の体調信号を検知するように構成される。結合要素は、感知装置に結合され、感知装置とユーザの感知領域とを固定する。【選択図】図１Ａ
2020052039.tif 000002
【特許請求の範囲】
【請求項１】
電池モジュール（１１０）と、回路板モジュール（１２０、１２０ａ〜１２０ｄ）と、体調センサ（１４０）と、を備える感知装置（１００、１００ａ〜１００ｄ、１００（０）〜１００（３））であって、前記回路板モジュール（１２０、１２０ａ〜１２０ｄ）は、前記電池モジュール（１００）の上面（１１２）、前記上面（１１２）の反対側の底面（１１４）、及び前記上面（１１２）と前記底面（１１４）を接続する側面（１１６）を覆い、前記体調センサ（１４０）は、前記回路板モジュール（１２０、１２０ａ〜１２０ｄ）の外側面に配置され、ユーザの感知領域と接触して、前記感知領域の体調信号を検知するように構成される感知装置（１００、１００ａ〜１００ｄ、１００（０）〜１００（３））と、
前記感知装置（１００、１００ａ〜１００ｄ、１００（０）〜１００（３））に結合され、前記感知装置（１００、１００ａ〜１００ｄ、１００（０）〜１００（３））と前記ユーザの前記感知領域とを固定する、結合要素（４００、４００ａ、４００ｂ）と、
を備える感知アセンブリ（１０、１０ａ〜１０ｃ）。
【請求項２】
前記回路板モジュール（１２０）は、前記上面（１１２）、前記底面（１１４）、及び前記側面（１１６）を覆うように曲げられているフレキシブル回路（ＦＰＣ）板（１２６）である、請求項１の感知アセンブリ（１０、１０ａ〜１０ｃ）。
【請求項３】
前記回路板モジュール（１２０ａ）は、第１の回路板（１２７）と、第２の回路板（１２８）と、コネクタ（１２９）と、を備え、
前記第１の回路板（１２７）は、前記上面（１１２）を覆い、複数の第１のピン（１２７ａ）を備え、
前記第２の回路板（１２８）は、前記底面（１１４）を覆い、複数の第２のピン（１２８ａ）を備え、
前記コネクタ（１２９）は、前記側面（１１６）を覆い、その反対同士の端は、それぞれ、前記第１ピン（１２７ａ）と第２のピン（１２８ａ）とを係合して、前記第１の回路板及び前記第２の回路板を電気的に接続する、
請求項１の感知アセンブリ（１０、１０ａ〜１０ｃ）。
【請求項４】
前記回路板モジュール（１２０ｂ）は、第１の回路板（１２７）と、第２の回路板（１２８）と、を備え、
前記第１の回路板（１２７）は、前記上面（１１２）を覆い、複数のピン（１２７ａ）を備え、
第２の回路板（１２８）は、前記底面（１１４）を覆い、前記複数のピン（１２７ａ）に対応するコネクタ（１２９）を備え、
前記コネクタ（１２９）は、前記側面（１１６）を覆い、前記複数のピン（１２７ａ）と係合して、前記第１の回路板（１２７）及び前記第２の回路板（１２８）を電気的に接続する、
請求項１の感知アセンブリ（１０、１０ａ〜１０ｃ）。
【請求項５】
前記回路板モジュール（１２０ｃ）は、第１の回路板（１２７）と、ＦＰＣ板（１２６）と、第２の回路板と、を備え、
前記第１の回路板（１２７）は、前記上面（１１２）を覆い、前記ＦＰＣ板（１２６）に接続され、
前記第２の回路板（１２８）は、前記底面（１１４）を覆い、コネクタ（１２９）を備え、
前記フレキシブル回路板は、前記側面（１１６）を覆い、かつ前記コネクタ（１２９）と係合するように曲げられて、前記第１の回路板（１２７）及び第２の回路板（１２８）を電気的に接続する、
請求項１の感知アセンブリ（１０、１０ａ〜１０ｃ）。
【請求項６】
前記回路板モジュール（１２０ｄ）は、ＦＰＣ板（１２６）と、プリント回路板（１２７）と、を備え、
前記ＦＰＣ板（１２６）は、前記上面（１１２）及び前記側面（１１６）を覆うように曲げられ、
前記プリント回路板（１２７）は、前記底面（１１４）を覆い、前記ＦＰＣ板（１２６）と係合するコネクタ（１２９）を備え、前記ＦＰＣ板（１２６）及び前記プリント回路板（１２７）を電気的に接続する、
請求項１の感知アセンブリ（１０、１０ａ〜１０ｃ）。
【請求項７】
前記回路板モジュール（１２０、１２０ａ〜１２０ｄ）にプリントされるプリントアンテナ（１３０）をさらに備える、請求項１乃至６のいずれかの感知アセンブリ（１０、１０ａ〜１０ｃ）。
【請求項８】
前記回路板モジュール（１２０、１２０ａ〜１２０ｄ）上に配置され、前記プリントアンテナ（１３０）と電気的に接続される無線通信スイッチ（１６０）をさらに備える、請求項７の感知アセンブリ（１０、１０ａ〜１０ｃ）。
【請求項９】
前記電池モジュール（１１０）及び前記回路板モジュール（１２０、１２０ａ〜１２０ｄ）を覆い、前記体調センサ（１４０）の少なくとも一部を露出させる分離層（１７０）をさらに備える、請求項１乃至８のいずれかの感知アセンブリ（１０、１０ａ〜１０ｃ）。
【請求項１０】
前記分離層（１７０）の材料は、熱可塑性材料を含み、
前記分離層（１７０）は、射出成形によって形成される、
請求項９の感知アセンブリ（１０、１０ａ〜１０ｃ）。
【請求項１１】
前記感知領域は、ユーザの股間である、請求項１乃至１０のいずれかの感知アセンブリ（１０、１０ａ〜１０ｃ）。
【請求項１２】
前記結合要素（４００、４００ａ、４００ｂ）は、密着ズボン（４００ａ）を備え、前記感知装置（１００、１００ａ〜１００ｄ、１００（０）〜１００（３））を収容するための内側ポケット（３００）を有する、請求項１乃至１１のいずれかの感知アセンブリ（１０、１０ａ〜１０ｃ）。
【請求項１３】
前記結合要素（４００、４００ａ、４００ｂ）は、前記ユーザの股間に固定されるゴムバンド（４００ｂ）を備える、請求項１乃至１１のいずれかの感知アセンブリ（１０、１０ａ〜１０ｃ）。
【請求項１４】
前記結合要素（４００、４００ａ、４００ｂ）は、前記底面（１１４）を覆う回路板モジュール（１２０、１２０ａ〜１２０ｄ）の一部の上に配置される接着層（４００）を備える、請求項１乃至１１のいずれかの感知アセンブリ（１０、１０ａ〜１０ｃ）。
【請求項１５】
前記結合要素（４００、４００ａ、４００ｂ）は、前記上面（１１２）を覆う前記回路板モジュール（１２０、１２０ａ〜１２０ｄ）の一部の上に配置される接着層（４００）を備え、前記接着層（４００）の外周領域は、前記ユーザに接着される、請求項１乃至１１のいずれかの感知アセンブリ（１０、１０ａ〜１０ｃ）。
【請求項１６】
前記感知装置（１００）は、複数の感知装置（１００（０）〜１００（３））を備え、
前記複数の感知装置（１００（０）〜１００（３））は、読み取り装置（１２）を無線通信するように構成される、
請求項１乃至１５のいずれかの感知アセンブリ（１０、１０ａ〜１０ｃ）。
【請求項１７】
前記感知領域は、前記ユーザの脇である、請求項１乃至１０のいずれかの感知アセンブリ（１０、１０ａ〜１０ｃ）。
【請求項１８】
前記結合要素（４００、４００ａ、４００ｂ）は、前記回路板モジュール（１２０、１２０ａ〜１２０ｄ）上に配置される１つの面及び前記ユーザに取り付けられる他の面を有する両面テープである、請求項１乃至１０又は１７のいずれかの感知アセンブリ（１０、１０ａ〜１０ｃ）。
【発明の詳細な説明】
【技術分野】
【０００１】
本開示は、装置アセンブリ、具体的には、感知アセンブリに関する。
【背景技術】
【０００２】
体調感知装置は、現在、世界中で一般的に使用されている。そのような装置は、ユーザの体温又はユーザの肌との接触によるその他の身体パラメータを計測することを、通常、何らかの物理的接触に依拠している。高齢者の在宅医療及び監視のための補助的な手段として体調をモニタリングすることが、ますます必要となってきた。同じことは、体調管理に能動的に関わることができない、幼児、児童、女性、妊娠している女性、アスリート等にもいえる。このことを考慮して、しばしば病院内で又は他の医療従事者と共に行われる、患者をモニタリングするための様々な方法が開発されてきた。そのようなモニタリング器具は便利であるが、現行の体調感知装置のサイズはいまだ大きい。そのため、ユーザに直接接触する感知装置は、ユーザを不快にさせるという欠点がある。
【発明の概要】
【発明が解決しようとする課題】
【０００３】
本開示は、サイズが小さく、ユーザの体表面上に容易に固定することができる感知アセンブリを提供し、使用中におけるユーザの快適さを向上させる。
【課題を解決するための手段】
【０００４】
本開示の実施の形態において、感知アセンブリは、感知装置と、結合要素と、を備える。感知装置は、電池モジュールと、回路板モジュールと、体調センサと、を備える。回路板モジュールは、電池モジュールの上面、上面の反対側の底面、及び上面と底面を接続する側面を覆う。体調センサは、回路板モジュールの外側面に配置され、ユーザの感知領域と接触して、感知領域の体調信号を検知するように構成される。結合要素は、感知装置に結合され、感知装置とユーザの感知領域とを固定する。
【０００５】
本開示の実施の形態において、回路板モジュールは、フレキシブル回路板であり、上面、底面、及び側面を覆うように曲げられている。
【０００６】
本開示の実施の形態において、回路板モジュールは、第１の回路板と、第２の回路板と、コネクタと、を備える。第１の回路板は、上面を覆い、複数の第１のピンを備え、第２の回路板は、底面を覆い、複数の第２のピンを備え、コネクタは、側面を覆い、その反対同士の端は、それぞれ、第１ピンと第２のピンとを係合して、第１の回路板及び第２の回路板を電気的に接続する。
【０００７】
本開示の実施の形態において、回路板モジュールは、第１の回路板と、第２の回路板と、を備える。第１の回路板は、上面を覆い、複数のピンを備え、第２の回路板は、底面を覆い、ピンに対応するコネクタを備える。コネクタは、側面を覆い、ピンと係合して、第１の回路板及び第２の回路板を電気的に接続する。
【０００８】
本開示の実施の形態において、回路板モジュールは、第１の回路板と、フレキシブル回路板と、第２の回路板と、を備える。第１の回路板は、上面を覆い、フレキシブル回路板に接続され、第２の回路板は、底面を覆い、コネクタを備え、フレキシブル回路板は、側面を覆い、かつコネクタと係合するように曲げられて、第１の回路板及び第２の回路板を電気的に接続する。
【０００９】
本開示の実施の形態において、回路板モジュールは、フレキシブル回路板と、プリント回路板と、を備える。フレキシブル回路板は、上面及び側面を覆うように曲げられ、プリント回路板は、底面を覆い、フレキシブル回路板と係合するコネクタを備え、フレキシブル回路板及びプリント回路板を電気的に接続する。
【００１０】
本開示の実施の形態において、感知アセンブリは、さらに、回路板モジュールにプリントされるプリントアンテナを備える。
【００１１】
本開示の実施の形態において、感知アセンブリは、さらに、回路板モジュール上に配置され、プリントアンテナと電気的に接続される無線通信スイッチを備える。
【００１２】
本開示の実施の形態において、感知アセンブリは、さらに、電池モジュール及び回路板モジュールを封入し、体調センサの少なくとも一部を露出させる分離層を備える。
【００１３】
本開示の実施の形態において、分離層の材料は、熱可塑性材料を含み、分離層は、射出成形によって形成されてよい。
【００１４】
本開示の実施の形態において、感知領域は、ユーザの股間である。
【００１５】
本開示の実施の形態において、結合要素は、感知装置を収容するための内側ポケットを有する密着ズボンを備える。
【００１６】
本開示の実施の形態において、結合要素は、ユーザの股間に固定されるゴムバンドを備える。
【００１７】
本開示の実施の形態において、結合要素は、底面を覆う回路板モジュールの一部の上に配置される接着層を備える。
【００１８】
本開示の実施の形態において、結合要素は、上面を覆う回路板モジュールの一部の上に配置される接着層を備え、接着層の外周領域は、ユーザに接着される。
【００１９】
本開示の実施の形態において、感知装置は、複数の感知装置を備え、複数の感知装置は、読み取り装置を無線通信するように構成される。
【００２０】
本開示の実施の形態において、感知領域は、ユーザの脇である。
【００２１】
本開示の実施の形態において、結合要素は、回路板モジュール上に配置される１つの面及びユーザに取り付けられる他の面を有する両面テープである。
【発明の効果】
【００２２】
上述に基づいて、本開示の実施の形態による感知アセンブリは、電池モジュールの上面、底面、及び側面を覆う回路板モジュールを用いて、電池モジュールに電気的に接続される。このような構成によって、回路板モジュールは、電池モジュールの反対側の面に電気的に接続されることが可能となり、それにより、感知装置の要素が電池モジュールの反対側の面の上に配置されてよく、従って、感知装置の空間利用が向上し、感知装置全体のサイズをさらに小さくできる。
【００２３】
本開示の上述及び他の特徴についての理解をより容易にするために、いくつかの実施の形態が、添付の図面と共に、下に詳細に説明される。
【図面の簡単な説明】
【００２４】
【図１Ａ】図１Ａは、本開示の実施の形態に係る、感知アセンブリの断面概略図である。
【００２５】
【図１Ｂ】図１Ｂは、本開示の実施の形態に係る、ユーザの脇に取り付けられた図１Ａの感知アセンブリを示す概略図である。
【００２６】
【図２】図２は、本開示の実施の形態に係る、感知アセンブリの上面概略図である。
【００２７】
【図３】図３は、本開示の実施の形態に係る、感知アセンブリの底面概略図である。
【００２８】
【図４】図４は、本開示の実施の形態に係る、感知装置の底面概略図である。
【００２９】
【図５】図５は、本開示の実施の形態に係る、感知装置の一部分の断面概略図である。
【００３０】
【図６】図６は、本開示の実施の形態に係る、感知装置の一部分の断面概略図である。
【００３１】
【図７】図７は、本開示の実施の形態に係る、感知装置の一部分の断面概略図である。
【００３２】
【図８】図８は、本開示の実施の形態に係る、感知装置の一部分の断面概略図である。
【００３３】
【図９】図９は、本開示の実施の形態に係る、感知アセンブリの概略図である。
【００３４】
【図１０】図１０は、本開示の実施の形態に係る、感知アセンブリの概略図である。
【００３５】
【図１１】図１１は、本開示の実施の形態に係る、感知アセンブリのブロック図である。
【発明を実施するための形態】
【００３６】
本開示に関する上述及び他の技術内容、特徴、及び効果は、図面を参照して、様々な実施の形態の詳細な説明と併せて、明確に提供される。以下の実施の形態において言及される、例えば、上、下、前、後、左、右等の方向の単語は、単に図面を参照にした方向である。従って、使用される方向の単語は、説明を目的としており、本開示を限定するものではない。また、以下の説明において、同じ又は同様の要素は、同じ又は同様の参照番号によって示される。
【００３７】
図１Ａは、本開示の実施の形態に係る、感知アセンブリの断面概略図である。図１Ａを参照すると、本実施の形態において、感知アセンブリ１０は、感知装置１００と、結合要素４００と、を備えてよく、感知装置１００は、結合要素４００を介してユーザの体も特定の箇所に固定されてよく、ユーザの体調を検知するように構成される。例えば、感知アセンブリ１０は、胸、手首、額、鼻の先、背中、股間等の箇所に固定されてよく、ユーザの脈拍、心拍、体温、発汗、呼吸、肌の水分等の身体パラメータを検知する。もちろん、本開示はこれに限定されない。
【００３８】
一般的に、基礎体温（ＢＢＴ又はＢＴＰ）は、安静時（通常は睡眠中）における最も低い体温である。ＢＢＴは、通常、起床の直後及び何らかの活動を行う前に計測されるが、それでも実際のＢＢＴよりも若干高い値が得られてしまう可能性がある。そのため、実施の形態においては、感知アセンブリ１０は、ユーザの体表面に固定されるように構成されて、感知アセンブリ１０が睡眠中のユーザのＢＢＴを（継続的に）監視及び検知可能にする。これにより、本開示の感知アセンブリ１０によって検知されるＢＢＴは、実際のＢＢＴをよりよく反映する。
【００３９】
図１Ｂは、本開示の実施の形態に係る、ユーザの脇に取り付けられた図１Ａの感知アセンブリを示す概略図である。結合要素４００は、結合要素は、感知装置１００に結合され、感知装置１００とユーザの感知領域（例えば、脇、股間、その他等の部分）とを固定する。実施の形態において、感知装置１００は、両面テープ等の結合要素４００を介して、ユーザの（胸のラインの上の）脇領域に取り付けられてよく、ユーザの脈拍、心拍、体温、発汗、呼吸、肌の水分等の身体パラメータを感知によって検知する。結合要素４００は、感知装置１００に取り付けられた１つの面と、ユーザの脇領域に接着された別の面とを有していてよい。一般的には、脇領域とは、（図１Ｂに示されるように）肩関節（腋窩とも呼ばれる）の下側から人体の胸のラインの上まで伸びる領域を指す。体温を測る最も一般的な方法は、脇の下（すなわち、脇領域）において（すなわち、腋窩方法）であり、従って、実施の形態においては、感知装置１００は、ユーザの脇の下において測定を行うように構成される。
【００４０】
さらに、多数の実験データによって、股間における温度は、実際のＢＢＴをよりよく反映可能であり、褐色脂肪細組織による熱の影響に対してより低感度であることを示す。そのため、別の実施の形態において、感知装置１００は、両面テープ等の結合要素４００によって、ユーザの股間に固定されるように構成されてよい。一般的には、股間とは、人体の腹部と脚部とを結合する結合点における溝を指す。そこに近い領域は、（図９に示されるように）全て股間と呼ばれてよく、内腿周辺の性器の両側に位置している。
【００４１】
いくつかの実施の形態において、感知装置１００は、電池モジュール１１０と、回路板モジュール１２０と、体調センサ１４０と、を備えてよい。実施の形態において、結合要素４００は、回路板モジュール１２０は上に配置される接着層であってよく、感知装置１００をユーザの感知領域に取り付ける。回路板モジュール１２０は、電池モジュール１１０の上面１１２、上面１１２の反対側の底面１１４、及び上面１１２と底面１１４を接続する側面１１６を覆う。実施の形態において、電池モジュール１１０は、リチウム電池、ボタン電池等であってよいが、実施の形態はこれに限定されない。電池モジュール１１０は、長方形であり、複数の側面１１６を有してよい。回路板モジュール１２０は、電池板モジュール１１０の複数の側面１１６の少なくとも１つを覆ってよい。別の実施の形態において、電池モジュール１１０は円筒形であってもよい。実施の形態は、電池モジュールの形状を限定しない。体調センサ１４０は、回路板モジュール１２０の外側面に配置され、ユーザの感知領域と接触して、感知領域の体調信号を検知するように構成される。実施の形態において、感知装置１００は、さらに、回路板モジュール１２０にプリントされるプリントアンテナ１３０を備える。
【００４２】
具体的には、回路板モジュール１２０は、図１Ａに示されるように、電池モジュール１１０の上面１１２、底面１１４、及び側面１１６を覆い、電池モジュール１１０に電気的接続される。実施の形態において、回路板モジュール１２０は、フレキシブルプリント回路（ＦＰＣ）板１２６であってよく、ＦＰＣ板１２６は、電池モジュール１１０の上面１１２、底面１１４、及び側面１１６を覆うように曲がっている。従って、ＦＰＣ板１２６は、その柔軟性によって曲がることが可能であり、２つの反対の面、すなわち、電池モジュール１１０の上面１１２及び底面１１４を電気的に接続し、それにより、感知装置１００の要素は、電池モジュール１１０の２つの反対の面の上に配置され、そのため、感知装置１００の空間利用性を増加させ、感知装置の全体サイズを小さくすることが可能である。また、ＦＰＣ板１２６は、感知装置１００に軟性及び柔軟性をもたらし、感知アセンブリ１０がユーザの感知領域と直接接触している時のユーザの快適さを向上させる。
【００４３】
より詳細には、感知装置１００の長さは、約２．６ｃｍまで短縮可能であり、感知装置１００の幅は、約２ｃｍまで短縮可能である。厚さについて、回路板モジュール１２０及び電池モジュール１１０は、共に感知装置１００の中心部分を形成し、中心部分の厚さは、約０．９２ｍｍまで薄くすることができる。勿論、本明細書に提示される数値範囲は説明のみを目的としており、本開示はこれに限定されない。
【００４４】
図２は、本開示の実施の形態に係る、感知アセンブリの上面概略図である。図３は、本開示の実施の形態に係る、感知アセンブリの底面概略図である。図１乃至３を参照すると、実施の形態において、回路板モジュール１２０は、第１の外側面１２２と、第１の外側面１２２の反対側の第２の外側面１２４と、を備えてよい。プリントアンテナ１３０は、例えば印刷工程を介して、第１の外側面１２２に形成されてよい。体調センサ１４０は、回路板モジュール１２０の第２の外側面１２４に配置される。換言すれば、プリントアンテナ１３０及び体調センサ１４０は、それぞれ、回路板モジュール１２０の２つの反対面に配置されて、プリントアンテナ１３０及び体調センサ１４０の間に特定の距離を維持し、それにより、感知装置１００の全体長を増加させずに、その２つの互いへの干渉を防止する。
【００４５】
いくつかの実施の形態において、体調センサ１４０は、ユーザに接触してユーザの体調パラメータを検知するためのセンサ領域１４２を備える。センサ領域１４２の材料は、例えばステンレス鋼、ニッケル、銅、金、銀等の金属であってよい。勿論、本開示の実施の形態は、これに限定されない。実施の形態において、体調センサ１４０は、ユーザの体温を測る温度計であってよい。勿論、実施の形態は、説明のみを目的としており、本開示の実施の形態を限定するものではない。図１Ａ及び図２に示されるように、感知装置１００は、さらに、無線通信スイッチ１６０を備えてよい。無線通信スイッチ１６０は、無線通信モジュールのためのスイッチである。無線通信スイッチ１６０は、第１の外側面１２２に配置され、プリントアンテナ１３０と電気的に接続され、それにより、体調センサ１４０に検知された体調信号は、無線通信スイッチ１６０を押して無線通信を起動させることで、例えばＢｌｕｅｔｏｏｔｈ（登録商標）、Ｗｉ−Ｆｉ、４Ｇ、５Ｇ、ロング・ターム・エヴォリューション（ＬＴＥ）等を介して、クラウドにアップロードされてよい。実施の形態において、感知装置１００は、インターネット（オンライン）及び遠距離通信（オフライン）を使用して、リアルタイム警告及び／又は体調予測（例えば労働のため）を行い、時間内に介護士に通知してよい。
【００４６】
また、回路板モジュール１２０は、さらに、図１Ａに示される電源パッド１９２及び図２に示される充電パッド１９４等の電源スイッチ１９０を備える。電源パッド１９２は、電池モジュール１１０と接触しており、電池モジュール１１０及び回路板モジュール１２０を電気的に接続する。従って、ユーザは、電源スイッチ１９０を押すことで、感知装置１００を起動及び停止できる。充電パッド１９４は、第１の外側面１２２に配置され、電池モジュール１１０に電気的に接続されてよい。図２に示される充電パッド１９４は露出しており、それにより、充電パッド１９４は、充電器に接続されてよく、コンセント又はＵＳＢポートを使用して電池モジュール１１０を充電する。
【００４７】
いくつかの実施の形態において、感知装置１００は、さらに、分離層１７０を備えてよい。分離層１７０は、電池モジュール１１０及び回路板モジュール１２０を封入し、水が感知装置１００に染み込むことを防止する。実施の形態において、分離層１７０は、さらに、感知装置１００の他の要素、部分、ウエハのセット等を封入してよい。分離層１７０は、図２及び３に示されるように、例えばセンサ領域１４２等の体調センサ１４０の少なくとも一部、充電パッド１９４、及び無線通信スイッチ１９０を露出する。実施の形態において、分離層１７０は、射出成形によって形成されてよい。従って、分離層１７０の材料は、ポリエチレンテレフタレート（ＰＥＴ）、シリコーン、熱可塑性ポリウレタン（ＴＰＵ）、熱可塑性ゴム（ＴＰＲ）、熱可塑性エラストマー（ＴＰＥ）、熱可塑性シリコーン加硫物（ＴＰＳｉＶ）、又はその他の好適な材料等の熱可塑性物質を含んでよい。また、感知装置１００は、さらに、分離層１７０と回路板モジュール１２０との間に充填された分離コーティング１８０を備えてよい。分離コーティング１８０は、電気的に絶縁されたコーティング及び防水コーティングを含んでよい。
【００４８】
図４は、本開示の実施の形態に係る、感知装置の底面概略図である。図１乃至４を参照すると、図１Ａの実施の形態において、結合要素４００は、回路板モジュール１２０の第２の外側面１２４に配置される、両面テープ等の接着層であってよい。具体的には、結合要素４００は、第２の外側面１２４に対応する分離層１７０の一部に配置され、それにより、感知装置１００は、結合要素４００を介して、ユーザの身体（すなわち、感知領域）に取り付けられる。結合要素４００は、体調センサ１４０のセンサ領域１４２を露出し、それにより、感知装置１００がユーザの身体に取り付けられた際に、センサ領域１４２はユーザの身体に接触可能である。しかしながら、図４に示される実施の形態において、結合要素４００は、第１の外側面１２２に配置される片面テープであってもよい。結合要素４００のサイズは、感知装置１００の中心部分（すなわち、電池モジュール１１０及び回路板モジュール１２０）より実質的に大きい。従って、結合要素４００が第１の外側面１２２に配置された際に、結合要素４００の外周領域４１０は露出してよく、それにより、感知装置１００は、結合要素４００の外周領域４１０を介して、ユーザの身体に取り付けられてよい。
【００４９】
図５は、本開示の実施の形態に係る、感知装置の一部分の断面概略図である。本実施の形態の感知装置１００ａは、図１Ａに示される感知装置１００と似ていることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、図５に示される感知装置１００ａは、その中心部分（すなわち、電池モジュール及び回路板モジュール）のみを示し、上述の実施の形態と同じ又は同様の他の特徴についての説明は、ここでは省略される。図５を参照して、本実施の形態の感知装置１００ａと図１Ａの感知装置１００との違いが以下に説明される。
【００５０】
本実施の形態において、回路板モジュール１２０ａは、第１の回路板１２７と、第２の回路板１２８と、コネクタ１２９と、を備える。第１の回路板１２７は、電池モジュール１１０の上面１１２を覆い、プリントアンテナ１３０は、第１の回路板１２７に配置される。第２の回路板１２８は、電池モジュール１１０の底面１１４を覆い、体調センサ１４０は、電池モジュール１１０の底面１１４に配置される。コネクタ１２９は、側面１１６を覆い、第１の回路板及び第２の回路板を接続して、第１の回路板及び第２の回路板を電気的に接続する。より詳細には、第１の回路板１２７は、さらに、複数の第１のピン１２７ａを備える。第２の回路板１２８は、さらに、複数の第２のピン１２８ａを備える。コネクタ１２９の反対の端は、それぞれ、第１のピン１２７ａ及び第２のピン１２８ａと係合し、第１の回路板１２７及び第２の回路板１２８を電気的に接続する。
【００５１】
図６は、本開示の実施の形態に係る、感知装置の一部分の断面概略図である。本実施の形態の感知装置１００ｂは、図１Ａの感知装置１００と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、図６に示される感知装置１００ｂは、その中心部分（すなわち、電池モジュール及び回路板モジュール）のみを示し、上述の実施の形態と同じ又は同様の他の特徴についての説明は、ここでは省略される。図６を参照して、本実施の形態の感知装置１００ｂと図１Ａの感知装置１００との違いが以下に説明される。
【００５２】
本実施の形態において、回路板モジュール１２０ｂは、第１の回路板１２７と、第２の回路板１２８と、を備える。第１の回路板１２７は、電池モジュール１１０の上面１１２を覆い、複数のピン１２７ａを備える。プリントアンテナ１３０は、第１の回路板１２７に配置される。第２の回路板１２８は、電池モジュール１１０の底面１１４を覆い、ピン１２７ａに対応するコネクタ１２９を備える。体調センサ１４０は、第２の回路板１２８に配置される。コネクタ１２９は、側面１１６を覆い、ピン１２７ａと係合して、第１の回路板１２７及び第２の回路板１２８を電気的に接続する。
【００５３】
図７は、本開示の実施の形態に係る、感知装置の一部分の断面概略図である。本実施の形態の感知装置１００ｃは、図１Ａの感知装置１００と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、図７に示される感知装置１００ｃは、その中心部分（すなわち、電池モジュール及び回路板モジュール）のみを示し、上述の実施の形態と同じ又は同様の他の特徴についての説明は、ここでは省略される。図７を参照して、本実施の形態の感知装置１００ｃと図１Ａの感知装置１００との違いが以下に説明される。
【００５４】
本実施の形態において、回路板モジュール１２０ｃは、第１の回路板１２７と、ＦＰＣ板１２６と、第２の回路板１２８と、を備える。第１の回路板１２７は、電池モジュール１１０の上面１１２を覆い、ＦＰＣ板１２６に接続される。プリントアンテナ１３０は、第１の回路板１２７に配置される。第２の回路板１２８は、電池モジュール１１０の底面１１４を覆い、コネクタ１２９を備える。体調センサ１４０は、第２の回路板１２８に配置される。ＦＰＣ板１２６は、側面１１６を覆い、かつコネクタ１２９と係合するように曲げられて、第１の回路板１２７及び第２の回路板１２８を電気的に接続する。
【００５５】
図８は、本開示の実施の形態に係る、感知装置の一部分の断面概略図である。本実施の形態の感知装置１００ｄは、図１Ａの感知装置１００と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、図８に示される感知装置１００ｄは、その中心部分（すなわち、電池モジュール及び回路板モジュール）のみを示し、上述の実施の形態と同じ又は同様の他の特徴についての説明は、ここでは省略される。図８を参照して、本実施の形態の感知装置１００ｄと図１Ａの感知装置１００との違いが以下に説明される。
【００５６】
本実施の形態において、回路板モジュール１２０ｄは、ＦＰＣ板１２６と、プリント回路板１２７と、を備える。ＦＰＣ板１２６は、電池モジュール１１０の上面１１２及び側面１１６を覆うように曲がるように構成される。プリントアンテナ１３０は、ＦＰＣ板１２６上に配置される。プリント回路板１２７は、電池モジュール１１０の底面１１４を覆い、コネクタ１２９を備える。体調センサ１４０は、プリント回路板１２７に配置される。ＦＰＣ板１２６は、側面１１６を覆い、かつコネクタ１２９と係合するように曲げられて、プリント回路板１２７を電気的に接続する。
【００５７】
図９は、本開示の実施の形態に係る、感知アセンブリの概略図である。本実施の形態の感知アセンブリ１０ａは、図１Ａの感知アセンブリ１０と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、上述の実施の形態と同じ又は同様の図９に示される感知アセンブリ１０ａの感知装置１００の上述の実施の形態と同じ又は同様の特徴の詳細な説明は、ここでは省略される。図９を参照して、本実施の形態の感知アセンブリ１０ａと図１Ａの感知アセンブリ１０との違いが以下に説明される。
【００５８】
図９を参照すると、いくつかの実施の形態において、感知アセンブリ１０ａは、ユーザに着用される装飾品であってよい。例えば、感知アセンブリ１０ａの結合要素４００ａは、内側ポケット３００を備える密着ズボンであってよい。密着ズボン４００ａは、ブリーフ、下着、ショーツ、パンツ等であってよい。内側ポケット３００は、密着ズボン４００ａの内側表面に縫い付けられてよく、ユーザの肌（例えば、股間の肌）と接触するように構成される。ユーザが密着ズボン４００ａを穿いた場合、内側ポケット３００の位置は、ユーザの股間領域に対応してよい。内側ポケット３００は、感知装置１００を使用することに使用可能である。本実施の形態において、この感知装置１００は、図１Ａに示される感知装置１００と同じ又は少なくとも同様の構造を有してよい。いくつかの実施の形態において、内側ポケット３００は、体調センサ（例えば、図１Ａに示される体調センサ１４０）のセンサ領域（例えば、図１Ａに示されるセンサ領域１４２）を露出するための開口を有してよい。いくつかの実施の形態において、感知装置１００は、内側ポケット３００に配置される又は他の方法を用いて密着ズボン４００ａの内側表面に固定されてよい。例えば、感知装置１００は、内側ポケット３００に配置される代わりに、密着ズボン４００ａに直接取り付けられてよい。従って、ユーザが密着ズボン４００ａを穿いた場合、感知装置１００は、ユーザの股間領域の温度を検知及び追跡可能である。
【００５９】
図１０は、本開示の実施の形態に係る、感知アセンブリの概略図である。本実施の形態の感知アセンブリ１０ｂは、図１Ａの感知アセンブリ１０と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。さらに、上述の実施の形態と同じ又は同様の図１０に示される感知アセンブリ１０ｂの感知装置１００の上述の実施の形態と同じ又は同様の特徴の詳細な説明は、ここでは省略される。図１０を参照して、本実施の形態の感知アセンブリ１０ｂと図１Ａの感知アセンブリ１０との違いが以下に説明される。
【００６０】
本実施の形態において、図１０を参照すると、感知装置１００は、結合要素４００ｂに固定されてよく、結合要素４００ｂは、ユーザの股間領域に固定されたゴムバンドであってよい。従って、結合要素４００ｂがユーザの股間領域に付けられた場合、感知装置１００は、ユーザの股間領域に接触して、股間領域のＢＢＴを感知する。いくつかの実施の形態において、結合要素４００ｂは、バックル等の結合部分を備え、結合要素４００ｂをユーザの股間領域（例えば、太ももの最も高い箇所）に固定してよい。別の実施の形態において、結合要素４００ｂは、ゴムバンドと一体して、ユーザの股間領域の周囲を覆っていてよい。感知装置１００をユーザの股間領域に固定して、股間領域のＢＢＴを検知及び追跡する他の方法も、本開示の実施の形態に適用可能である。
【００６１】
図１１は、本開示の実施の形態に係る、感知アセンブリのブロック図である。本実施の形態の感知アセンブリ１０ｃは、図１Ａの感知アセンブリ１０と同様のものであることが理解されるべきである。従って、本実施の形態では、上述の実施の形態の参照番号及びいくつかの内容を使用し続け、同じ参照番号は同じ又は同様の要素を示すために使用され、その技術的説明は省略される。省略部分の説明については、上述の実施の形態が参照され、本実施の形態では繰り返されない。図１１を参照して、本実施の形態の感知アセンブリ１０ｃと図１Ａの感知アセンブリ１０との違いが以下に説明される。
【００６２】
図１１を参照すると、実施の形態において、感知アセンブリ１０ｃの感知装置１００（０）、１００（１）、１００（２）、１００（３）の数は、複数であり、感知装置１００（０）、１００（１）、１００（２）、１００（３）は、読み取り装置１２と無線通信するように構成される。例えば、感知アセンブリ１０ｃは、複数の感知装置１００（０）、１００（１）、１００（２）、１００（３）と、複数の感知電極１４２（０）、１４２（１）、１４２（２）、１４２（３）と、を備える。実施の形態において、感知電極１４２（０）、１４２（１）、１４２（２）、１４２（３）は、上述の実施の形態における体調センサ１４０のセンサ領域１４２と同様であってよく、それぞれ、有線又は無線形式で感知電極１４２（０）、１４２（１）、１４２（２）、１４２（３）に接続されてよい。各感知電極１４２（０）、１４２（１）、１４２（２）、１４２（３）は、ユーザの体温を検知し、検知された体温に対応する感知データを生成するように構成されてよい。感知装置１００（０）、１００（１）、１００（２）、１００（３）は、それぞれ、感知電極１４２（０）、１４２（１）、１４２（２）、１４２（３）から感知データを受信し、通信１２２を介して読み取り装置１２へと感知データを送信する。例えば、複数の感知装置１００（０）、１００（１）、１００（２）、１００（３）は、通信１３３を介して読み取り装置１２と有線又は無線通信を行うために使用される通信インターフェースを備えてよい。図１１には４つの感知装置１００（０）、１００（１）、１００（２）、１００（３）及び４つの感知電極１４２（０）、１４２（１）、１４２（２）、１４２（３）が示されているが、感知装置及び感知電極の数は、実際の要求に合わせて増加させても減少させてもよいことが理解されるべきである。
【００６３】
いくつかの実施の形態において、図１１に示されるように、感知装置１００（０）、１００（１）、１００（２）、１００（３）の数、及び感知電極１４２（０）、１４２（１）、１４２（２）、１４２（３）の数は、同じである。さらに、読み取り装置１２は、スマートフォン、タブレットパソコン、ノートパソコン、デスクトップパソコン、又はデータ送信、データ処理、及びデータ表示機能を有するその他の計算装置であってよい。例えば、読み取り装置１２は、プロセッサ（例えば、ＣＰＵ）、通信インターフェース（例えば、有線又は無線通信回路）、メモリ（例えば、ＳＲＡＭ、ＤＲＡＭ、ＲＯＭ、ＨＤＤ、及び／又はＳＳＤ）、ディスプレイ等を備えてよい。読み取り装置１２は、感知アセンブリ１０ｃから感知データを受信し、感知データに関するメッセージを表示してよい。
【００６４】
いくつかの実施の形態において、モニタリング装置１４は、スマートフォン、タブレットパソコン、ノートパソコン、デスクトップパソコン、又はデータ送信、データ処理、及びデータ表示機能を有するその他の計算装置であってよい。例えば、モニタリング装置１４は、プロセッサ（例えば、ＣＰＵ）、通信インターフェース（例えば、有線又は無線通信回路）、メモリ（例えば、ＳＲＡＭ、ＤＲＡＭ、ＲＯＭ、ＨＤＤ、及び／又はＳＳＤ）、ディスプレイ等を備えてよい。モニタリング装置１４は、読み取り装置１２から感知データを受信し、感知データに関するメッセージを表示してよい。ユーザは、読み取り装置１２又はモニタリング装置１４を使用して、感知アセンブリ１０ｃに検知された体温を管理してよい。別の実施の形態において、体温感知システムは、通信１３１−１３２及び／又はモニタリング装置１４を備えてなくともよい。
【００６５】
いくつかの実施の形態において、読み取り装置１２は、ゲートウェイ、アクセスポイント、モデム、基地局、若しくはサーバ等の、リピータ又はトランスポンダであってよい。読み取り装置１２は、ネットワーク（例えば、インターネット）を介して、モニタリング装置１４へと感知データを送信してよい。例えば、読み取り装置１２は、受信した感知データを復号し、その後、対応するパケットを生成し、モニタリング装置１４へとパケットを送る。ネットワークは、パブリックネットワーク、プライベートネットワーク、及び／又はローカルネットワークを含んでよい。
【００６６】
いくつかの実施の形態において、読み取り装置１２は、通信１３１を介してネットワークに接続され、モニタリング装置１４は、通信１３２を介してネットワークに接続されてよい。いくつかの実施の形態において、読み取り装置１２は、ピア・トゥ・ピア（Ｐ２Ｐ）通信によってモニタリング装置１４に接続されてよい。読み取り装置１２及びモニタリング装置１４の合計数は、それぞれ、１つ以上であることが理解されるべきである。
【００６７】
いくつかの実施の形態において、通信１３１、１３２、１３２の少なくとも１つは、Ｗｉ−Ｆｉ、Ｂｌｕｅｔｏｏｔｈ（登録商標）、３Ｇ、４Ｇ、５Ｇ、ＺｉｇＢｅｅ等の無線通信プロトコルの１つ以上と互換性があってよい。いくつかの実施の形態において、通信１３１、１３２、１３２の少なくとも１つは、Ｅｔｈｅｒｎｅｔ等の有線通信プロトコルの１つ以上と互換性があってよい。
【００６８】
いくつかの実施の形態において、感知装置１００（０）、１００（１）、１００（２）、１００（３）は、Ｗｉ−Ｆｉ、Ｂｌｕｅｔｏｏｔｈ（登録商標）、その他の無線通信プロトコルによって、読み取り装置１２とペアとなってよい。ペアリングの後、感知装置１００（０）、１００（１）、１００（２）、１００（３）、及び読み取り装置１２は、互いを識別し、通信１３３を確立可能である。いくつかの実施の形態において、読み取り装置１２及びモニタリング装置１４は、互いにペアとなって、通信を行ってよい。
【００６９】
このような構成により、感知電極１４２（０）、１４２（１）、１４２（２）、１４２（３）が結合要素（例えば、図１Ａに示される結合要素４００）を使用してユーザの身体の複数の部分に固定された場合、各感知電極１４２（０）、１４２（１）、１４２（２）、１４２（３）は、対応する身体部分におけるユーザの体温を感知することができる。感知データ（又は温度データ）感知装置１００（０）、１００（１）、１００（２）、１００（３）を介して読み取り装置１２へと送信される。実施の形態において、４つの感知電極１４２（０）、１４２（１）、１４２（２）、１４２（３）は、結合要素によって、ユーザの４つの個別の異なる身体部分、例えば、ユーザの股間又は足の４つの異なる箇所に
固定されてよい。
【００７０】
上述の内容を総括すると、本開示の実施の形態に係る感知アセンブリは、電池モジュールの上面、底面、及び側面を覆う回路板モジュールを使用して、電池モジュールを電気的に接続する。このような構成により、回路板モジュールは、電池モジュールの反対の面を電気的に接続し、それにより、感知装置の要素は、電池モジュールの反対の面に配置されてよく、感知装置の空間利用を改善し、さらに、感知装置全体のサイズを小さくする。
【００７１】
さらに、感知装置のプリントアンテナ及び体調センサは、それぞれ、回路板モジュールの反対の面に配置され、プリントアンテナ及び体調センサは特定の距離を維持し、それにより、２つが干渉することが防止される。従って、本開示の実施の形態の感知アセンブリは、その全長を増加させることなく、感知装置の性能を向上させることができる。また、回路板モジュールは、ＦＰＣ板であってよく、それにより、電池モジュールの上面、底面、及び側面を覆うことができる。従って、ＦＰＣ板は、感知アセンブリに柔軟性を提供し、それにより、感知アセンブリがユーザの身体に直接接触する際のユーザの快適さを向上させる。
【００７２】
また、回路板モジュール上にプリントされたプリントアンテナを介して、体調センサによって感知された体調信号は、例えばＢｌｕｅｔｏｏｔｈ（登録商標）、Ｗｉ−Ｆｉ、４Ｇ、５Ｇ、ロング・ターム・エヴォリューション（ＬＴＥ）等の好適な無線通信形式を介して、クラウドにアップロードされてよい。本開示の実施の形態において、感知アセンブリは、インターネット（オンライン）及び遠距離通信ネットワーク（オフライン）を使用して、リアルタイム警告及び／又は体調予測（例えば労働のため）を行い、時間内に介護士に通知してよい。
【産業上の利用可能性】
【００７３】
本開示の感知アセンブリは、体調感知装置又はモニタリング装置において適用されてよい。
【符号の説明】
【００７４】
１０、１０ａ〜１０ｃ  感知アセンブリ
１２      読み取り装置
１４      モニタリング装置
１００、１００ａ〜１００ｄ、１００（０）〜１００（３）  感知装置
１１０    電池モジュール
１１２    上面
１１４    底面
１１６    側面
１２０、１２０ａ〜１２０ｄ  回路板モジュール
１２２    第１の外側面
１２４    第２の外側面
１２６    フレキシブルプリント回路（ＦＰＣ）板
１２７    第１の回路板
１２７ａ  第１のピン
１２８    第２の回路板
１２８ａ  第２のピン
１２９    コネクタ
１３０    プリントアンテナ
１３１〜１３３  通信
１４０    体調センサ
１４２    センサ領域
１４２（０）〜１４２（３）  感知電極
１６０    無線通信スイッチ
１７０    分離層
１８０    分離コーティング
１９０    電源スイッチ
１９２    電源パッド
１９４    充電パッド
３００    内側ポケット
４００、４００ａ、４００ｂ  結合要素
４００ａ  密着ズボン
４１０    周辺領域
【図１Ａ】
2020052039.tif 000003
【図１Ｂ】
2020052039.tif 000004
【図２−３】
2020052039.tif 000005
【図４】
2020052039.tif 000006
【図５】
2020052039.tif 000007
【図６】
2020052039.tif 000008
【図７】
2020052039.tif 000009
【図８】
2020052039.tif 000010
【図９】
2020052039.tif 000011
【図１０】
2020052039.tif 000012
【図１１】
2020052039.tif 000013
【手続補正書】
【提出日】令和1年11月7日(2019.11.7)
【手続補正１】
【補正対象書類名】図面
【補正対象項目名】全図
【補正方法】変更
【補正の内容】
【図１Ａ】
2020052039.tif 000014
【図１Ｂ】
2020052039.tif 000015
【図２】
2020052039.tif 000016
【図３】
2020052039.tif 000017
【図４】
2020052039.tif 000018
【図５】
2020052039.tif 000019
【図６】
2020052039.tif 000020
【図７】
2020052039.tif 000021
【図８】
2020052039.tif 000022
【図９】
2020052039.tif 000023
【図１０】
2020052039.tif 000024
【図１１】
2020052039.tif 000025
【外国語明細書】
2020052039000001.pdf